(57)【要約】  太陽電池パネルの表面洗浄用システムを提供する。本発明によるシステムは、太陽電池パネルの光発電値を測定する測定部と、基準値を提供する基準部と、測定部で測定された光発電値と基準部で提供された基準値とを比較して、太陽電池パネルの洗浄を命令する制御部と、太陽電池パネルの表面を洗浄するための洗浄装置を稼動する駆動部と、を含む。制御部は、太陽電池パネルの表面の汚染によって光発電値が減少する場合にのみ太陽電池パネルの洗浄を命令することを特徴とする。
2010539724.tif 000002
【特許請求の範囲】
【請求項１】
太陽電池パネルの光発電値を測定する測定部と、
基準値を提供する基準部と、
前記測定部で測定された前記光発電値と前記基準部で提供された前記基準値とを比較して前記太陽電池パネルの洗浄を命令する制御部と、
前記太陽電池パネルの表面を洗浄するための洗浄装置を稼動する駆動部と、を含み、
前記制御部は、前記太陽電池パネルの前記表面の汚染によって前記光発電値が減少する場合にのみ前記太陽電池パネルの洗浄を命令することを特徴とする太陽電池パネルの表面洗浄用システム。
【請求項２】
前記測定部は、前記太陽電池パネルの前記光発電値を測定するための電流計、電圧計、電力計、及び電力量計の中から選択された少なくとも１つを含むことを特徴とする請求項１に記載の太陽電池パネルの表面洗浄用システム。
【請求項３】
前記基準部は、表面が清潔な状態である基準太陽電池であることを特徴とする請求項１に記載の太陽電池パネルの表面洗浄用システム。
【請求項４】
前記基準部は、表面の清潔度による前記光発電値の誤差範囲が１０％以内に管理される日照量測定計であることを特徴とする請求項１に記載の太陽電池パネルの表面洗浄用システム。
【請求項５】
前記基準部は、日付、時刻、緯度、及び経度による太陽の高度に対する情報を提供する太陽高度計、風向きと風速に対する情報を提供する風向計／風速計、大気の中にホコリ濃度に対する情報を提供する大気ホコリ測定計、雲の量に対する情報を提供する雲量計、又は降雨量に対する情報を提供する降雨計の中から選択された少なくとも１つをさらに含むことを特徴とする請求項４に記載の太陽電池パネルの表面洗浄用システム。
【請求項６】
前記光発電値の減少が前記太陽電池パネルの前記表面の汚染によることではない場合、前記制御部から警報信号を受ける管理部をさらに含むことを特徴とする請求項１に記載の太陽電池パネルの表面洗浄用システム。
【請求項７】
前記制御部は、前記洗浄装置の稼動前／後の前記太陽電池パネルの前記光発電値を比較して、前記洗浄装置の追加的な稼動指示可否又は前記管理部に前記警報信号伝達可否の中の１つを選択する機能をさらに含むことを特徴とする請求項６に記載の太陽電池パネルの表面洗浄用システム。
【請求項８】
前記洗浄装置は、ワイパー又は／及びブラシによる往復運動、回転運動、及び並進運動の中で選択された少なくとも１つの機械的な力を利用することを特徴とする請求項６に記載の太陽電池パネル洗浄用システム。
【請求項９】
前記洗浄装置は、静電気的な引力又は反発力を利用することを特徴とする請求項１に記載の太陽電池パネル洗浄用システム。
【発明の詳細な説明】
【技術分野】
【０００１】
本発明は、太陽光発電システムに関し、より詳細には太陽電池パネルの表面洗浄用システムに関する。
【背景技術】
【０００２】
太陽電池（ｓｏｌａｒ  ｃｅｌｌ）の発電効率は、太陽電池の表面に集積されるホコリ等のような異質物による光の遮断に大きい影響を受ける。太陽電池の発電効率を低下するこのような異質物は、太陽電池の表面に集積されるたび毎に除去することが望ましい。しかし、大規模な太陽光発電設備の場合には、全体太陽電池パネル（ｐａｎｅｌ）の表面が常に同時に清潔に維持されるように洗浄されることは非効率的である。これは、太陽電池パネルの表面を洗浄する洗浄装置の機械的摩耗、及び洗浄に使われるエネルギー損失が大きいためである。特に、砂漠地域や黄砂等によるホコリ発生が多い地域等のように気象状況によって、ホコリ発生量の変化が激しい地域では、洗浄装置の老朽化、及びエネルギー損失がより一層大きくなる。
【先行技術文献】
【特許文献】
【０００３】
【特許文献１】特開２００４−１８６６３２号公報
【発明の概要】
【発明が解決しようとする課題】
【０００４】
本発明が解決しようとする課題は、太陽電池パネルの表面を効率的に洗浄して太陽電池パネルの光発電効率、及び洗浄装置の駆動効率を向上できる太陽電池パネルの表面洗浄用システムを提供することである。
【課題を解決するための手段】
【０００５】
上述した課題を達成するために、本発明は、太陽電池パネルの表面洗浄用システムを提供する。このシステムは、太陽電池パネルの光発電値を測定する測定部と、基準値を提供する基準部と、前記測定部で測定された前記光発電値と前記基準部で提供された前記基準値とを比較して前記太陽電池パネルの洗浄を命令する制御部と、前記太陽電池パネルの表面を洗浄するための洗浄装置を稼動する駆動部と、を含むことができる。前記太陽電池パネルの前記表面の汚染によって前記光発電値が減少する場合にのみ前記太陽電池パネルの洗浄を命令することを特徴とする。
【０００６】
前記測定部は、前記太陽電池パネルの前記光発電値を測定するための電流計、電圧計、電力計、及び電力量計の中から選択された少なくとも１つを含むことができる。
【０００７】
基準部は、表面が清潔な状態である基準太陽電池であり得る。
【０００８】
基準部は、表面の清潔度による前記光発電値の誤差範囲が１０％以内に管理される日照量測定計であり得る。
【０００９】
基準部は、日付、時刻、緯度、及び経度による太陽の高度に対する情報を提供する太陽高度計、風向きと風速に対する情報を提供する風向計／風速計、大気の中にホコリ濃度に対する情報を提供する大気ホコリ測定計、雲の量に対する情報を提供する雲量計、又は降雨量に対する情報を提供する降雨計の中から選択された少なくとも１つをさらに含むことができる。
【００１０】
光発電値の減少が前記太陽電池パネルの前記表面の汚染以外による場合、前記制御部から警報信号を受ける管理部をさらに含むことができる。
【００１１】
制御部は、前記洗浄装置の稼動前／後の前記太陽電池パネルの前記光発電値を比較して、前記洗浄装置の追加的な稼動指示可否又は前記管理部に前記警報信号伝達可否の中の１つを選択する機能をさらに含むことができる。
【００１２】
洗浄装置は、ワイパー又は／及びブラシによる往復運動、回転運動、及び並進運動の中で選択された少なくとも１つの機械的な力を利用できる。
【００１３】
洗浄装置は、静電気的な引力又は反発力を利用できる。
【００１４】
又は、上述した課題を達成するために、本発明は、太陽電池パネルの表面洗浄用システムの駆動方法を提供する。この方法は、太陽電池パネルの光発電値を測定する段階と、測定された光発電値と基準値を比較する段階と、比較された光発電値と基準値との差が誤差範囲以上であると、駆動部が稼働される段階と、駆動部の稼動によって太陽電池パネルの表面を洗浄装置で洗浄する段階を含むことができる。洗浄装置は太陽電池パネルの表面の汚染によって光発電値が減少する場合にのみ作動されることを特徴とする。
【００１５】
光発電値を測定する段階は、電流計、電圧計、電力計、及び電力量計の中から選択された少なくとも１つを使用して測定することであり得る。
【００１６】
基準値は、表面が清潔な状態である基準太陽電池から測定されることであり得る。
【００１７】
基準値は、表面の清潔度による光発電値の誤差範囲が１０％以内に管理される日照量測定計から測定されることであり得る。基準値は、太陽高度計から日付、時刻、緯度、及び経度による太陽の高度に対する情報、風向計／風速計からの風向きと風速に対する情報、大気ホコリ測定計から大気の中にホコリ濃度に対する情報、雲量計からの雲の量に対する情報、又は降雨計からの降雨量に対する情報の中から選択された少なくとも１つが提供されて推算できる。
【００１８】
洗浄装置の稼動前／後の太陽電池パネルの光発電値を比較する段階と、洗浄装置の稼動前／後の太陽電池パネルの光発電値が期待値以下であると、駆動部が追加に稼働される段階と、をさらに含むことができる。
【００１９】
洗浄装置の追加的な稼動前／後の太陽電池パネルの光発電値を比較する段階と、洗浄装置の追加的な稼動前／後の太陽電池パネルの光発電値が期待値以下であると、警報信号を伝達する段階と、をさらに含むことができる。
【発明の効果】
【００２０】
上述したように、本発明の課題解決手段によると、太陽電池パネルの表面を効率的に洗浄することによって、太陽電池パネルの光発電効率が増大することができる。
【００２１】
又は、洗浄装置の駆動効率が高まることができる。したがって、大規模な太陽光発電設備の発電効率が増大する同時に、洗浄装置の老朽化、及びエネルギー損失が最小化されることによって、より効率的に太陽光発電設備を管理でき、特に砂漠地域や黄砂等によるホコリ発生が多い地域等のように気象状況によるホコリ発生量の変化が激しい地域での太陽光発電設備を管理することに有用であり得る。
【図面の簡単な説明】
【００２２】
【図１】本発明の実施形態による太陽電池パネルの表面洗浄用システムを説明するための概略的な構成図である。
【図２】本発明の実施形態による太陽電池パネルの表面洗浄用システムの駆動方法を説明するための順序図である
【発明を実施するための最良の形態】
【００２３】
以下、添付された図面を参照して本発明の望ましい実施形態を詳細に説明する。しかし、本発明は、ここで説明される実施形態に限定されなく他の形態に具体化され得る。むしろ、ここで紹介される実施形態は、開示された内容が徹底して完全になるように、そして当業者に本発明の思想が十分に伝えられることができるようにするために提供されているものである。又は、望ましい実施形態によることであるために、説明の順序によって提示される参照符号は、その順序に必ず限定されない。したがって図面での要素の形状は、より明確な説明を強調するために誇張されたのである。図面において、同じ機能を遂行する構成要素に対しては同じ参照番号が併記されている。
【００２４】
図１は、本発明の実施形態による太陽電池パネルの表面洗浄用システムを説明するための概略的な構成図である。
【００２５】
図１を参照すると、太陽電池パネルの表面洗浄用システムは、測定部１１０、基準部１３０、制御部１２０、駆動部１４０、太陽電池パネル１５０、及び管理部１６０を含むことができる。
【００２６】
太陽電池パネル１５０は、表面に入射される太陽光熱を電気へ変換させることができる。複数の太陽電池パネル１５０が太陽電池パネルの表面洗浄用システムの測定部１１０、及び駆動部１４０に結合されることができる。
【００２７】
測定部１１０は、太陽電池パネル１５０の光発電値を測定できる。測定部１１０は、太陽電池パネル１５０の光発電値を測定するための電流計１１１、電圧計１１２、電力計１１３、及び電力量計１１４の中で選択された少なくとも１つの測定装置を含むことができる。望ましくは、測定部１１０は、太陽電池パネル１５０に入射された光によって発生する光電流値を測定するための電流計１１１であり得る。
【００２８】
基準部１３０は、基準値を提供できる。基準部１３０は、表面が清潔な状態である基準太陽電池又は表面の清潔度による光発電値の誤差範囲が１０％以内に管理される日照量測定計であり得る。基準部１３０は、多様な形態の運用が可能であり得る。有人発電システムに太陽電池パネルの表面洗浄用システムが適用される場合には有人発電システムが設置された地域に位置する少なくとも１つ以上の基準太陽電池を基準部１３０として使用することができる。これは、人力により基準部１３０として使われる基準太陽電池の表面が異質物がない清潔な状態に管理できるためである。無人発電システムに太陽電池パネルの表面洗浄用システムが適用される場合には無人発電システムが設置された地域に位置する日照量測定計を基準部１３０として使用することができる。これは、無人発電システムでは、基準太陽電池の表面が異質物がない清潔な状態に管理できないためである。したがって、日照量測定計から測定された日照量から推算された光発電値の期待値が基準部１３０の基準値として使われることができる。
【００２９】
基準部１３０として日照量測定計を使用する場合、日照量測定計から推算された光発電値の期待値をさらに精密に提供するために、基準部１３０は、太陽高度計１３１、風向き／風速計（ａｎｅｍｏｓｃｏｐｅ／ａｎｅｍｏｍｅｔｅｒ）１３２、大気ホコリ測定計１３３、雲量計（ｎｅｐｈｏｍｅｔｅｒ）１３４、及び降雨計（ｒａｉｎｆａｌｌｍｅｔｅｒ）１３５をさらに含むことができる。このような多様な測定計を含む基準部１３０を有する太陽電池パネルの表面洗浄用システムは、砂風が多くて、雲の量が多くない砂漠地域で建設された太陽光発電設備に特に有用に使われることができる。
【００３０】
太陽高度計１３１は、太陽電池パネルの表面洗浄用システムの運営時点である日付及び時刻、及び運営位置である緯度及び経度による太陽の高度に対する情報を基準部１３０に提供できる。風向計／風速計１３２は、太陽電池パネルの表面洗浄用システムの運営位置による風向きと風速に対する情報を基準部１３０に提供できる。大気ホコリ測定計１３３は、太陽電池パネルの表面洗浄用システムの運営位置による大気の中のホコリ濃度に対する情報を基準部１３０に提供できる。雲量計１３４は、太陽電池パネルの表面洗浄用システムの運営位置による雲の量に対する情報を基準部１３０に提供できる。降雨計１３５は、太陽電池パネルの表面洗浄用システムの運営位置による降雨量に対する情報を基準部１３０に提供できる。このような多様な気象状況が日照量測定計に適用されることによって、基準部１３０が制御部１２０に提供する基準値がさらに精密になり得る。
【００３１】
制御部１２０は、測定部１１０で測定された太陽電池パネル１５０の光発電値と基準部１３０で提供された基準値とを比較して、太陽電池パネル１５０の表面に対する洗浄を命令できる。制御部１２０で比較した光発電値と基準値との差が誤差範囲以上であると、制御部１２０は、駆動部１４０に太陽電池パネル１５０の表面に対する洗浄を命令できる。
【００３２】
駆動部１４０は、制御部１２０から指示された太陽電池パネル１５０の表面に対する洗浄命令によって洗浄装置を稼動できる。したがって、太陽電池パネル１５０の表面が洗浄できる。洗浄装置はワイパー（ｗｉｐｅｒ）又は／及びブラシ（ｂｒｕｓｈ）によって往復運動、回転運動、及び並進運動の中で選択された少なくとも１つの機械的力を利用できる。又は、洗浄装置は静電気的引力又は反発力を利用できる。
【００３３】
太陽電池パネルの表面洗浄用システムは、管理部１６０をさらに含むことができる。管理部１６０は、制御部１２０から太陽電池パネルの表面洗浄用システムの故障に対する警報信号を受けることができる。
【００３４】
特定又は全体太陽電池パネル１５０で測定される光発電値が減少する場合には、制御部１２０は、光発電値が減少する時点の日付、時間又は／及び気象状況等のようなデータを分析して光発電値の減少原因を判断できる。例えば、光発電値の減少原因が単純な太陽の高度変化又は日没、又は／及び気象状況の変化によることと分析される場合には、制御部１２０は、太陽電池パネル１５０の表面の異質物を除去する洗浄装置の稼動のための命令を駆動部１４０に指示しないことができる。これと異なり、光発電値の減少原因が砂風等による異質物が過度に太陽電池パネル１５０の表面に集積されたことによることと分析される場合には、制御部１２０は予め入力されたデータを分析して最適化された回数、及び強度に太陽電池パネル１５０の表面に集積された異質物を除去する洗浄装置の稼動のための命令を駆動部１４０に指示できる。又は、砂風が一時的に強く進行して止まない場合には、太陽電池パネル１５０の表面に対する洗浄効率が低下されるので、制御部１２０は、砂風の強さが一定水準以下に落ちる前まで洗浄装置の稼動のための命令を駆動部１４０に指示しないことができる。すなわち、洗浄装置は、太陽電池パネル１５０の表面の汚染によって光発電値が減少する場合にのみ作動できる。したがって、洗浄装置の稼動によるエネルギー損失、及び洗浄装置の老朽化を最小化できる。
【００３５】
それに加えて、駆動部１４０は、太陽電池パネル１５０各々の表面を洗浄できる洗浄装置を稼動させるように構成されているので、異質物が集積された太陽電池パネル１５０の表面のみを選択的に洗浄できる。したがって、洗浄装置の稼動によるエネルギー損失、及び洗浄装置の老朽化を最小化できる。
【００３６】
制御部１２０は、洗浄装置の稼動前／後の太陽電池パネル１５０の光発電値を比較して、洗浄装置の追加的な稼動を指示できる。このような洗浄装置の追加的な稼動は、太陽電池パネル１５０の表面が洗浄装置によって洗浄されたことにも関わらず、光発電値の増加が期待値に達しない場合に実行できる。
【００３７】
又は、制御部１２０は、洗浄装置の追加的な稼動前／後の太陽電池パネルの光発電値を比較し、管理部１６０に警報信号を伝達できる。このような警報信号の伝達は、洗浄装置の追加的な稼動によっても光発電値の増加が期待値に達しない場合に実行できる。これは、光発電値の増加が期待値に達しない理由が太陽電池パネル１５０の表面に集積された異質物による光発電効率の低下ではない他の原因によるためである。したがって、制御部１２０は、洗浄装置の追加的な稼動を止め、管理部１６０に警報信号を伝達できる。
【００３８】
前記のような構造を有する太陽電池パネルの表面洗浄用システムは、洗浄装置の稼動効率を向上させることによって、太陽電池パネルの光発電効率を増大させることができる。又は、洗浄装置の老朽化、及びエネルギー損失を最小化できる。
【００３９】
図２は、本発明の実施形態による太陽電池パネルの表面洗浄用システムの駆動方法を説明するための順序図である。
【００４０】
図２を参照すると、太陽電池パネルの表面洗浄用システムの駆動方法は、太陽電池パネルの光発電値を測定部が測定する段階（Ｓ１１０）、測定部で測定された測定値と基準部で提供された基準値とを制御部が比較する段階（Ｓ１２０）、制御部で比較された測定値と基準値との差が誤差範囲以上であると、駆動部が稼働される段階（Ｓ１３０）、及び駆動部によって太陽電池パネルの表面が洗浄装置の稼動によって洗浄される段階（Ｓ１４０）を含むことができる。
【００４１】
測定部が太陽電池パネルの光発電値を測定する段階（Ｓ１１０）は、測定部に含まれた太陽電池パネルの光発電値を測定するための電流計、電圧計、電力計、及び電力量計の中から選択された少なくとも１つの測定装置によって実行できる。望ましくは、測定部に含まれた電流計が太陽電池パネルに入射された光によって発生する光電流値を測定することであり得る。太陽電池パネルは表面に入射される太陽光熱を電気へ変換させることができる。複数の太陽電池パネルが太陽電池パネルの表面洗浄用システムの測定部、及び駆動部に結合することができる。
【００４２】
制御部が測定部で測定された測定値と基準部で提供された基準値を比較する段階（Ｓ１２０）、及び駆動部が稼働される段階（Ｓ１３０）は、制御部で比較した測定値と基準値との差が誤差範囲以上であると、制御部が駆動部に太陽電池パネルの表面に対する洗浄を命令するか、或いは制御部で比較した測定値と基準値との差が誤差範囲以内であると、制御部は、駆動部に太陽電池パネルの表面に対する洗浄を命令しないことであり得る。
【００４３】
基準部で提供された基準値は、表面が清潔な状態である基準太陽電池又は表面の清潔度による光発電値の誤差範囲が１０％以内に管理される日照量測定計から測定された値であり得る。基準部は、多様な形態の運用が可能であり得る。有人発電システムに太陽電池パネルの表面洗浄用システムが適用される場合には有人発電システムが設置された地域に位置する少なくとも１つ以上の基準太陽電池を基準部として使用することができる。これは、人力により基準部として使われる基準太陽電池の表面が異質物がない清潔な状態に管理されることができるためである。無人発電システムに太陽電池パネルの表面洗浄用システムが適用される場合には無人発電システムが設置された地域に位置する日照量測定計を基準部として使用することができる。これは、無人発電システムでは、基準太陽電池の表面が異質物がない清潔な状態に管理されることができないためである。したがって、日照量測定計から測定された日照量から推算された光発電値の期待値が基準部の基準値として使われることができる。
【００４４】
基準部として日照量測定計を使用する場合、日照量測定計から推算された光発電値の期待値をさらに精密に提供するために、基準部は、太陽高度計、風向計／風速計、大気ホコリ測定計、雲量計、及び降雨計から多様な情報をさらに提供を受けることができる。このような多様な測定計を含む基準部を有する太陽電池パネルの表面洗浄用システムは、砂風が多くて、雲の量が多くない砂漠地域で建設された太陽光発電設備に特に有用に使われることができる。
【００４５】
太陽高度計は、太陽電池パネルの表面洗浄用システムの運営時点である日付、及び時刻、及び運営位置である緯度、及び経度による太陽の高度に対する情報を基準部に提供できる。風向計／風速計は、太陽電池パネルの表面洗浄用システムの運営位置による風向きと風速に対する情報を基準部に提供できる。大気ホコリ測定計は、太陽電池パネルの表面洗浄用システムの運営位置による大気の中のホコリ濃度に対する情報を基準部に提供できる。雲量計は、太陽電池パネルの表面洗浄用システムの運営位置による雲の量に対する情報を基準部に提供できる。降雨計は、太陽電池パネルの表面洗浄用システムの運営位置による降雨量に対する情報を基準部に提供できる。このような多様な気象状況が日照量測定計に適用されることによって、基準部が制御部に提供する基準値がさらに精密になり得る。
【００４６】
洗浄装置の稼動によって太陽電池パネルの表面を洗浄する段階（Ｓ１４０）は、制御部から命じられた太陽電池パネルの表面に対する洗浄命令によって駆動部が洗浄装置を稼動することであり得る。したがって、太陽電池パネルの表面が洗浄できる。洗浄装置は、ワイパー又は／及びブラシによる往復運動、回転運動、及び並進運動の中で選択された少なくとも１つの機械的力を利用できる。又は、洗浄装置は、静電気的な引力又は反発力を利用できる。
【００４７】
駆動部は、太陽電池パネル各々の表面を洗浄できる洗浄装置を稼動させるように構成されるので、異質物が集積された太陽電池パネルの表面のみを選択的に洗浄できる。したがって、洗浄装置の稼動によるエネルギー損失、及び洗浄装置の老朽化を最小化できる。
【００４８】
それに加えて、太陽電池パネルの表面洗浄用システムの駆動方法は、制御部が洗浄装置の稼動前／後の太陽電池パネルの光発電値を比較する段階、及び洗浄装置の追加的な稼動を指示する段階をさらに含むことができる。このような洗浄装置の追加的な稼動は、太陽電池パネルの表面が洗浄装置により洗浄されていても、光発電値の増加が期待値に達し得ない場合に実行できる。
【００４９】
又は、太陽電池パネルの表面洗浄用システムの駆動方法は制御部が洗浄装置の追加的な稼動前／後の太陽電池パネルの光発電値を比較する段階、及び管理部に警報信号を伝達する段階をさらに含むことができる。このような警報信号の伝達は、洗浄装置の追加的な稼動によっても光発電値の増加が期待値に達し得ない場合に実行できる。管理部は、制御部から太陽電池パネルの表面洗浄用システムの故障に対する警報信号を受けることができる。これは、光発電値の増加が期待値に達しない理由が太陽電池パネルの表面に集積された異質物による光発電効率の低下でない他の原因によるためである。したがって、制御部は、洗浄装置の追加的な稼動を止め、管理部に警報信号を伝達できる。
【００５０】
特定又は全体太陽電池パネルで測定される光発電値が減少する場合には、制御部は、光発電値が減少する時点の日付、時間又は／及び気象状況等のようなデータを分析して光発電値の減少原因を判断できる。例えば、光発電値の減少原因が単純な太陽の高度変化又は日没、又は／及び気象状況の変化によることと分析される場合には、制御部は、太陽電池パネルの表面の異質物を除去する洗浄装置の稼動のための命令を駆動部に指示しないことができる。これと異なりに、光発電値の減少原因が砂風等による異質物が過度に太陽電池パネルの表面に集積されたことによるものと分析される場合には、制御部は、予め入力されたデータを分析して最適化された回数、及び強度に太陽電池パネルの表面に集積された異質物を除去する洗浄装置の稼動のための命令を駆動部に指示できる。又は、砂風が一時的に強く進行して止まない場合には、太陽電池パネルの表面に対する洗浄効率が低下されるので、制御部は、砂風の強さが一定水準以下に落ちるまで洗浄装置の稼動のための命令を駆動部に指示しないことができる。すなわち、洗浄装置は、太陽電池パネルの表面の汚染によって光発電値が減少する場合にのみ作動できる。したがって、洗浄装置の稼動によるエネルギー損失、及び洗浄装置の老朽化を最小化できる。
【００５１】
前記のような方法で太陽電池パネルの表面洗浄用システムの洗浄装置が効果的に稼働することによって、太陽電池パネルの光発電効率を増大させることができる。又は、洗浄装置の老朽化、及びエネルギー損失を最小化できる。
【００５２】
上述した本発明の実施形態による太陽電池パネルの表面洗浄用システムを使用して太陽電池パネルの表面を洗浄することによって、太陽電池パネルの光発電効率を増大させることができる。又は、太陽電池パネルの表面を洗浄する洗浄装置の駆動効率が高まることができる。したがって、大規模な太陽光発電設備の発電効率を増大させる同時に、洗浄装置の老朽化、及びエネルギー損失を最小化できる太陽電池パネルの表面洗浄用システムを提供することができる。
【符号の説明】
【００５３】
１１０  測定部
１１１  電流計
１１２  電圧計
１１３  電力計
１１４  電力量計
１２０  制御部
１３０  基準部
１３１  太陽高度計
１３２  風向計／風速計
１３３  大気ホコリ測定計
１３４  雲量計
１３５  降雨計
１４０  駆動部
１５０  太陽電池パネル
１６０  管理部
【図１】
2010539724.tif 000003
【図２】
2010539724.tif 000004
【国際調査報告】
2010539724.tif 000005
2010539724.tif 000006